(57)【要約】      （修正有）【課題】単一の光学系を備えた照明装置によって照明範囲の形状を変更する。【解決手段】個別に調光制御される複数の調光回路ｂ１〜ｂ９の夫々に備えられた複数の光源ａ１〜ａ９を、複数の調光回路ｂ１〜ｂ９を個別に調光制御することで調光して、光学系３に投影する。【選択図】図２
2015225821.tif 000002
【特許請求の範囲】
【請求項１】
個別に調光制御される複数の調光回路と、前記調光回路の夫々に接続され、同一平面状に配列された複数の光源と、前記複数の光源の光が投影される光学系とを備えている照明装置。
【請求項２】
前記複数の光源が、目的とする照射範囲の形状に対応するように配列されている請求項１記載の照明装置。
【請求項３】
請求項１又は請求項２記載の照明装置による照明方法であって、個別に調光制御される複数の調光回路の夫々に備えられた複数の光源を、複数の前記調光回路を個別に調光制御して調光し、調光された光を光学系に投影することによって、前記光学系の発光面の形状を変更すると共に、照射範囲の形状を変更することを特徴とする照明方法。
【発明の詳細な説明】
【技術分野】
【０００１】
本発明は、照明装置に関し、特に、劇場の舞台やテレビスタジオ等で演出照明に用いる照明装置に関する。
【背景技術】
【０００２】
劇場の舞台やテレビスタジオ等の演出照明に用いられる照明装置としては、例えば、下記特許文献１に記載されているスポットライトが知られている。
【０００３】
この照明装置は、固定された大きさの光源と単レンズとの距離を変更（フォーカス調整）して、照射対象に照射することで演出照明を行うものである。
【先行技術文献】
【特許文献】
【０００４】
【特許文献１】特開２００１−２２９７２０号公報
【発明の概要】
【発明が解決しようとする課題】
【０００５】
特許文献１の従来技術の照明装置は、焦点近傍の照射範囲が、光源の大きさや形状、及び単レンズの焦点距離で決定されてしまうため、所望の照射範囲にするためには、焦点距離の異なる単レンズを備えた個別の照明装置を要している。
【０００６】
また、演出に応じて、照明範囲を縦長・横長に変更する場合には、偏光レンズ等の光学部品の追加や変更が必要である。
【０００７】
そのため、多様な演出照明を行うには、この演出照明に対応できる照明装置を各々用意する必要があって、この複数の照明装置の制御や操作が煩雑になる上に、これらを用意するコストも高騰するという問題があった。
【０００８】
本発明は、このような問題に対処することを課題の一例とするものである。すなわち、単一の光学系を備えた照明装置により、照明範囲の形状を変更できること、これにより、単一の光学系を備えた照明装置で様々な演出照明を行うことができると共に、照明装置の制御や操作を容易にでき、且つ演出照明のコストを削減できること、等が本発明の目的である。
【課題を解決するための手段】
【０００９】
このような目的を達成するために、本発明による照明装置は、以下の構成を少なくとも具備するものである。
【００１０】
個別に調光制御される複数の調光回路と、前記調光回路の夫々に接続された光源と、前記光源の光が投影される光学系とを備えている照明装置である。
【００１１】
また、前記光源が、目的とする照射範囲の形状に対応するように配列されている照明装置である。
【００１２】
前述の照明装置による照明方法であって、個別に調光制御される複数の調光回路の夫々に備えられた複数の光源を、複数の前記調光回路を個別に調光制御して調光し、調光された光を光学系に投影することによって、前記光学系の発光面の形状を変更すると共に、照射範囲の形状を変更する照明方法である。
【発明の効果】
【００１３】
このような特徴を有することで本発明は、単一の光学系を備えた照明装置によって照明範囲の形状を変更でき、これにより、単一の光学系を備えた照明装置で様々な演出照明を行うことができると共に、照明装置の制御や操作を容易にでき、且つ演出照明のコストを削減できる。
【図面の簡単な説明】
【００１４】
【図１】本発明の一実施形態に係る照明装置の概略図である。
【図２】図１の（２）-（２）線断面図である。
【図３】（ａ１）〜（ａ３）（ｂ１）〜（ｂ３）（ｃ１）〜（ｃ３）（ｄ１）〜（ｄ３）は、図２に示す配列形態の光源により投影された光学系の発光面形状の変更に伴う照射範囲の形状の変化を説明する説明図である。
【図４】光源の他の配列形態を示す概略図である。
【図５】図４に示す（ａ１）（ａ２）（ｂ１）（ｂ２）は、配列形態の光源により投影された光学系の発光面形状の変更に伴う照射範囲の形状の変化を説明する説明図である。
【発明を実施するための形態】
【００１５】
以下、本発明の一実施形態に係る照明装置Ａを図面に基づいて説明する。図１は、照明装置Ａの構成を概略的に示す構成図、図２は、光源ａ１〜ａ９の配列形態、及び調光回路ｂ１〜ｂ９の配線形態を示す構成図である。
【００１６】
照明装置Ａは、複数の光源ａ１〜ａ９を配列した光源部１と、個別に調光制御され、光源ａ１〜ａ９が個別に接続された複数の調光回路ｂ１〜ｂ９と、光源部１の照射方向に配された光学系３と、調光回路ｂ１〜ｂ９を一回路毎に調光制御する制御部Ｂとを備えている。
【００１７】
制御部Ｂは、調光回路ｂ１〜ｂ９を、手動操作による調光制御、或いはあらかじめプログラムされた調光制御等の、各種制御を行うものであり、調光回路ｂ１〜ｂ９と電気的に接続されている。
【００１８】
光源部１は、光学系３に対して接近・離間することでフォーカス調整するように支持されており、このフォーカス調整によって照射範囲Ｌを調整するようにされている。
【００１９】
ここで光源ａ１〜ａ９は、発光ダイオード素子（ＬＥＤ）が例示できる。尚、光源ａ１〜ａ９はＬＥＤに限定されるものではなく、通常、照明装置に用いられるものであればよい。
【００２０】
光源ａ１〜ａ９は、図２に示すように、横三列・縦三列となるように配列され、このように配列された光源ａ１〜ａ９の一個毎に、調光回路ｂ１〜ｂ９が一回路ずつ接続されている。
【００２１】
調光回路ｂ１〜ｂ９は、制御部Ｂによる調光回路ｂ１〜ｂ９の一回路毎の調光制御によって、光源ａ１〜ａ９を一個毎に調光（点灯・消灯）できるようにされている。
【００２２】
光学系３は、あらかじめ設定された所定の焦点距離を有する単レンズであり、光源部１の接近・離間によって焦点を合わせるようにされている。
【００２３】
尚、本形態では、光源部１を不動とし、光学系３を接近・離間によって焦点を合わせるようにしてもよい。
【００２４】
すなわち、調光回路ｂ１〜ｂ９を一回路毎に調光制御することによって、光源ａ１〜ａ９を一個毎に調光することができ、調光された光源ａ１〜ａ９の光を光学系３に投影することによって、調光された通りの形状の発光面３０（図３参照）とすることができる。
【００２５】
調光された通りの形状にされた発光面３０の光は、制御部Ｂで設定された目的の形状の照射範囲Ｌで照射面に配光される（図３参照）。
【００２６】
次に、図３（ａ１）〜（ａ３）（ｂ１）〜（ｂ３）（ｃ１）〜（ｃ３）（ｄ１）〜（ｄ３）に基づいて、照明装置Ａによる照明方法、すなわち、図２に示す配列形態の光源ａ１〜ａ９により投影された光学系３の発光面３０の各種形状を形成する方法、照射範囲Ｌの各種形状を形成する方法を説明する。本実施形態は、照射面に配光される照射範囲Ｌの形状を変更するものである。尚、発光面３０は、平行斜線で示す。
【００２７】
図３（ａ１）（ｂ１）（ｃ１）（ｄ１）は、調光回路ｂ１〜ｂ９に対する調光制御によって、光学系３に投射される発光面３０の形状の変更を現したものである。
【００２８】
図３（ａ２）（ｂ２）（ｃ２）（ｄ２）は、発光面３０から焦点近傍の照射面に対して配光されたときの照射範囲Ｌの形状変化を現したものである。
【００２９】
図３（ａ３）（ｂ３）（ｃ３）（ｄ３）は、発光面３０から、焦点位置よりもわずかに光学系３に近接した照射面に対して配光されたときの照射範囲Ｌの形状変化を現したものである。
【００３０】
図３（ａ１）は、光源ａ１〜ａ９の全てが点灯するように調光回路ｂ１〜ｂ９が調光制御されたものであり、光学系３の全面が発光し、発光面３０が正方形状に形成される。
【００３１】
そして、正方形状に形成された発光面３０から照射面に配光された光は、図３（ａ２）では、照射範囲Ｌが正方形状に形成され、図３（ａ３）では、照射範囲Ｌが円形状に形成される。
【００３２】
図３（ａ１）〜（ａ３）の発光面３０の形状、及び照射範囲Ｌの形状は、従来の照明装置においても形成できるものであるが、照明装置Ａは、図１、及び図２に示すように構成されたものであるので、図３（ｂ１）〜（ｂ３）（ｃ２）〜（ｃ３）（ｄ１）〜（ｄ３）に示すような、発光面３０の形状、及び照射範囲Ｌの形状に形成することができる。
【００３３】
図３（ｂ１）は、光源ａ１〜ａ６が点灯するように調光回路ｂ１〜ｂ９が調光制御されたものであり、光学系３の図面において上部２／３が発光し、発光面３０が横長長方形状に形成される。
【００３４】
そして、横長長方形状に形成された発光面３０から照射面に配光された光によって、図３（ｂ２）では、照射範囲Ｌが横長長方形状に形成され、図３（ｂ３）では、照射範囲Ｌが横長楕円形状に形成される。
【００３５】
また、図３（ｃ１）は、光源ａ２、ａ５、ａ８が点灯するように調光回路ｂ１〜ｂ９が調光制御されたものであり、光学系３の図面において上下中央部が発光し、発光面３０が縦長長方形状に形成される。
【００３６】
そして、縦長長方形状に形成された発光面３０から照射面に配光された光によって、図３（ｃ２）では、照射範囲Ｌが縦長長方形状に形成され、図３（ｃ３）では、照射範囲Ｌが縦長楕円形状に形成される。
【００３７】
また、図３（ｄ１）は、光源ａ４〜ａ６が点灯するように調光回路ｂ１〜ｂ９が調光制御されたものであり、光学系３の図面において左右中央部が発光し、発光面３０が横長長方形状に形成される。
【００３８】
そして、横長長方形状に形成された発光面３０から照射面に配光された光によって、図３（ｄ２）では、照射範囲Ｌが横長長方形状に形成され、図３（ｄ３）では、照射範囲Ｌが横長楕円形状に形成される。
【００３９】
すなわち、照明装置Ａによる照明方法によると、制御部Ｂの調光回路ｂ１〜ｂ９の調光制御によって、光源ａ１〜ａ９を、自由に調光することができ、これによって、照明装置Ａの光学系３が単一のものであっても、目的とする形状の照射範囲Ｌに形成することができる。
【００４０】
次に、図４に基づいて、光源部１’の他の形態を説明する。光源部１’は、四個の光源ａ１〜ａ４を有し、光源ａ１、ａ４を、同軸、且つ同一の円周上に配列し、光源ａ２、ａ３を、光源ａ１、ａ４と同軸、且つ光源ａ１、ａ４が配列された円周よりも小径な同一の円周上に配列したものである。
【００４１】
光源ａ１〜ａ４は、夫々個別の調光回路ｂ１〜ｂ４に接続されており、制御部Ｂで調光回路ｂ１〜ｂ４を一回路毎に調光制御することによって、光源ａ１〜ａ４を一個毎に調光することができ、調光された光源ａ１〜ａ４の光を光学系３に投影することによって、調光された通りの形状の発光面３０’（図５参照）とすることができる。
【００４２】
次に、図５（ａ１）（ａ２）（ｂ１）（ｂ２）に基づいて、光源部１’を備えた照明装置Ａによる照明方法、すなわち、図４に示す配列形態の光源ａ１〜ａ４により投影された光学系３の発光面３０’の各種形状を形成する方法、照射範囲Ｌ’の各種形状を形成する方法を説明する。本実施形態は、照射面に配光される照射範囲Ｌ’の大きさを変更するものである。尚、発光面３０’は、平行斜線で示す。
【００４３】
図５（ａ１）（ｂ１）は、調光回路ｂ１〜ｂ４に対する調光制御によって、光学系３に投射される発光面３０’の大きさの変更を現したものである。
【００４４】
図５（ａ２）（ｂ２）は、発光面３０から焦点近傍の照射面に対して配光されたときの照射範囲Ｌ’の大きさの変化を現したものである。
【００４５】
図５（ａ１）は、光源ａ１〜ａ４の全てが点灯するように調光回路ｂ１〜ｂ４が調光制御されたものであり、光学系３の全面が発光し、発光面３０’が円形状に形成される。
【００４６】
そして、正方形状に形成された発光面３０’から照射面に配光された光は、図５（ａ２）に示すように、照射範囲Ｌ’が円形状に形成される。
【００４７】
図５（ｂ１）は、光源ａ２、ａ３が点灯するように調光回路ｂ１〜ｂ４が調光制御されたものであり、光学系３の図面において中央部が発光し、発光面３０’が、図５（ａ１）の円形状よりも小径な円形状に形成される。
【００４８】
そして、横長長方形状に形成された発光面３０’から照射面に配光された光によって、図５（ｂ２）に示すように、照射範囲Ｌ’が図５（ａ１）の円形状よりも小径な円形状に形成される。
【００４９】
図５（ａ１）（ａ２）の発光面３０’の大きさの変更、及び照射範囲Ｌ’の大きさの変更は、従来の照明装置においては光学系の位置を変更することで行うことができるが、本形態では、光源部１’を図４に示すように構成したことによって、光学系３の位置を変更することなく、図５（ａ１）（ａ２）（ｂ１）（ｂ２）に示すように、発光面３０’の大きさ、及び照射範囲Ｌ’の大きさを変更することができる。
【００５０】
また、光学系３の位置の変更を併用することによって、発光面３０’の大きさ、及び照射範囲Ｌ’の大きさの変更をより幅広く行うことができる。
【００５１】
すなわち、この照明装置Ａによる照明方法によると、制御部Ｂの調光回路ｂ１〜ｂ４の調光制御によって、光源ａ１〜ａ４を、自由に調光することができ、これによって、単一の光学系３であっても目的とする大きさの照射範囲Ｌ’を形成することができる。
【００５２】
図２に示す光源ａ１〜ａ９、調光回路ｂ１〜ｂ９、図４に示す光源ａ１〜ａ４、調光回路ｂ１〜ｂ４の個数や配列等の形態、は、例示したものに限るものではなく、目的とする照射範囲Ｌ、Ｌ’の形状に対応する個数や配列等であれば任意に設定できる。
【００５３】
以上説明した照明装置Ａによると、制御部Ｂの、調光回路ｂ１〜ｂ９、調光回路ｂ１〜ｂ４の個別に調光制御することによって、光源ａ１〜ａ９、光源ａ１〜ａ４を、自由に調光することができる。
【００５４】
したがって、照明装置Ａの光学系３が単一のものであっても、目的とする形状、大きさの照射範囲Ｌ、Ｌ’を形成することができ、これによって、単一の光学系を備えた照明装置Ａで、様々な演出照明を行うことができると共に、照明装置Ａの制御や操作を容易にでき、且つ演出照明のコストを削減できる。
【００５５】
尚、本発明は、例示した実施の形態に限定するものではなく、特許請求の範囲の各項に記載された内容から逸脱しない範囲の構成による実施が可能である。
【符号の説明】
【００５６】
Ａ：照明装置
ａ１〜ａ９：光源
ａ１〜ａ４：光源
ｂ１〜ｂ９：調光回路
ｂ１〜ｂ４：調光回路
３：光学系
３０：発光面
３０’：発光面
Ｌ：照射範囲
Ｌ’：照射範囲
【図１】
2015225821.tif 000003
【図２】
2015225821.tif 000004
【図４】
2015225821.tif 000005
【図３】
2015225821.tif 000006
【図５】
2015225821.tif 000007